(57)【要約】【課題】  記録媒体に記録された音声ファイルと静止画ファイルとの同時再生中に、一方のファイルの再生が終了したとき、他方のファイルの再生が終了するまで、先に再生が終了した方のファイルの再生を繰り返して同時再生を継続することができるようにする。【解決手段】  記録媒体に記録された音声ファイルと静止画ファイルとを再生して、記録媒体に記録された音声ファイルを再生しながら、再生された静止画ファイルをスライドショーで表示し、音声ファイルと静止画ファイルとの再生中に、記録媒体に記録された静止画ファイル又は音声ファイルの再生が先に終了した場合、記録媒体に記録された音声ファイル又は静止画ファイルの再生が終了するまで、記録媒体に記録された静止画ファイル又は音声ファイルの再生を先頭から繰り返して同時再生を継続するようにする。【選択図】        図２
2006179069.tif 000002
【特許請求の範囲】
【請求項１】
ＤＶＤ等の光ディスクに記録されたＭＰ３ファイルとＪＰＥＧファイルとを同時に再生するディスク再生装置であって、
光ディスクに記録されたＭＰ３ファイルとＪＰＥＧファイルとを再生する再生手段と、光ディスクに記録されたＭＰ３ファイルを再生しながら、前記再生手段により再生されたＪＰＥＧファイルをスライドショーで表示する表示手段と、ＭＰ３ファイルとＪＰＥＧファイルとの再生中に、光ディスクに記録されたＪＰＥＧファイルの再生が終了した場合、光ディスクに記録されたＭＰ３ファイルの再生が終了するまで、光ディスクに記録されたＪＰＥＧファイルの再生を先頭から再開して、光ディスクに記録されたＪＰＥＧファイルの再生を繰り返してＪＰＥＧファイルのスライドショーを継続するとともに、光ディスクに記録されたＭＰ３ファイルの再生が終了した場合、光ディスクに記録されたＪＰＥＧファイルの再生が終了するまで、光ディスクに記録されたＭＰ３ファイルの再生を先頭から再開して、光ディスクに記録されたＭＰ３ファイルの再生を繰り返してＭＰ３ファイルの再生を継続する継続手段とを備えたことを特徴とするディスク再生装置。
【請求項２】
音声ファイル、静止画ファイルが記録できる記録媒体に記録された音声ファイルと静止画ファイルとを同時に再生する情報再生装置であって、
記録媒体に記録された音声ファイルと静止画ファイルとを再生する再生手段と、記録媒体に記録された音声ファイルを再生しながら、前記再生手段により再生された静止画ファイルをスライドショーで表示する表示手段と、音声ファイルと静止画ファイルとの再生中に、記録媒体に記録された静止画ファイルの再生が終了した場合、記録媒体に記録された音声ファイルの再生が終了するまで、記録媒体に記録された静止画ファイルの再生を繰り返して静止画ファイルのスライドショーを継続する継続手段とを備えたことを特徴とする情報再生装置。
【請求項３】
前記継続手段は、音声ファイルと静止画ファイルとの再生中に、記録媒体に記録された静止画ファイルの再生が終了した場合、記録媒体に記録された静止画ファイルの再生を先頭から再開するようにしたことを特徴とする請求項２記載の情報再生装置。
【請求項４】
音声ファイル、静止画ファイルが記録できる記録媒体に記録された音声ファイルと静止画ファイルとを同時に再生する情報再生装置であって、
記録媒体に記録された音声ファイルと静止画ファイルとを再生する再生手段と、記録媒体に記録された音声ファイルを再生しながら、前記再生手段により再生された静止画ファイルをスライドショーで表示する表示手段と、音声ファイルと静止画ファイルとの再生中に、記録媒体に記録された音声ファイルの再生が終了した場合、記録媒体に記録された静止画ファイルの再生が終了するまで、記録媒体に記録された音声ファイルの再生を繰り返して音声ファイルの再生を継続する継続手段とを備えたことを特徴とする情報再生装置。
【請求項５】
前記継続手段は、音声ファイルと静止画ファイルとの再生中に、記録媒体に記録された音声ファイルの再生が終了した場合、記録媒体に記録された音声ファイルの再生を先頭から再開するようにしたことを特徴とする請求項４記載の情報再生装置。
【発明の詳細な説明】
【技術分野】
【０００１】
本発明は、音声ファイル、静止画ファイルが記録できるＤＶＤ（Ｄｉｇｉｔａｌ  Ｖｅｒｓａｔｉｌｅ  Ｄｉｓｃ）等の記録媒体に記録された情報を再生するディスク装置及び情報再生装置に係り、特にＤＶＤ等の記録媒体に記録された音声ファイルと静止画ファイルとを同時に再生するディスク再生装置及び情報再生装置に関する。
【背景技術】
【０００２】
一般に、ＤＶＤ等の記録媒体に記録されたＭＰ３（Ｍｏｖｉｎｇ  Ｐｉｃｔｕｒｅ  Ｃｏｄｉｎｇ  Ｅｘｐｅｒｔｓ  Ｇｒｏｕｐ  Ａｕｄｉｏ  Ｌａｙｅｒ  ３）ファイル等の音声ファイルとＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）ファイル等の静止画ファイルとを再生するディスク再生装置等の情報再生装置は、音声ファイルと静止画ファイルとを同時に再生することができるようになっている。しかし、ＤＶＤ等の記録媒体に記録されたＭＰ３ファイル等の音声ファイルとＪＰＥＧファイル等の静止画ファイルとの再生時間が異なる場合、音声ファイルと静止画ファイルとの同時再生中に、再生時間の短い方のファイルの再生が先に終了して、再生時間の長い方のファイルのみの再生となり、音声ファイルと静止画ファイルとの同時再生を継続することができないという問題点があった。
背景技術としては、管理情報から静止画に対応する静止画番号の表示時刻を取得し、表示時刻を用いてタイムサーチして、静止画を前／次表示、ランダム表示、プログラム表示するようにしたものがあった（例えば、特許文献１参照）。
また、ビデオ、オーディオ、静止画を同時に再生するプレイリストをビデオ、オーディオ、静止画の各データとともに同じ記録媒体に記録して、プレイリストに基づいてビデオ、オーディオ、静止画の各データを再生するようにしたものがあった（例えば、特許文献２参照）。
また、光ディスクから記録データを読み取って、読み取られた記録データ中の静止画データを静止画データ記憶部に記憶し、光ディスクの記録データを再生する際に、静止画データ記憶部に記憶されている静止画データを読み出して静止画表示を行うようにしたものがあった（例えば、特許文献３参照）。
【特許文献１】特開２００３−３３３５０８号公報
【特許文献２】特開２００３−２６４７９３号公報
【特許文献３】特開２０００−２９３９２５号公報
【発明の開示】
【発明が解決しようとする課題】
【０００３】
しかしながら、背景技術で述べたもののうち最初のものにおいては、管理情報から静止画に対応する静止画番号の表示時刻を取得し、表示時刻を用いてタイムサーチして、静止画を前／次表示、ランダム表示、プログラム表示することができたが、スライドショーでシーケンシャルトラックの再生中に、規格に違反せずにユーザが任意に静止画を切り換えることができるようにしたものであって、上記問題点を解決するようにしたものではなかった。
また、次のものにおいては、ビデオ、オーディオ、静止画を同時に再生するプレイリストをビデオ、オーディオ、静止画の各データとともに同じ記録媒体に記録して、プレイリストに基づいてビデオ、オーディオ、静止画の各データを再生することができたが、ビデオ、オーディオ、静止画を同時に再生するプレイリストをその都度作成して、プレイリストをビデオ、オーディオ、静止画の各データとともに同じ記録媒体に記録しなければならないという問題点があった。
また、更にその次のものにおいては、光ディスクから記録データを読み取って、読み取られた記録データ中の静止画データを静止画データ記憶部に記憶し、光ディスクの記録データを再生する際に、静止画データ記憶部に記憶されている静止画データを読み出して静止画表示を行うことができたが、光ディスクの再生中に表示する静止画データを静止画データ記憶部に記憶しなければならないという問題点があった。
本発明は、背景技術の有するこのような問題点に鑑みてなされたものであり、その目的とするところは、ＭＰ３ファイル等の音声ファイル、ＪＰＥＧファイル等の静止画ファイルが記録できるＤＶＤ等の記録媒体に記録された音声ファイルと静止画ファイルとの同時再生中に、一方のファイルの再生が終了したとき、他方のファイルの再生が終了するまで、先に再生が終了した方のファイルの再生を繰り返して同時再生を継続することができるディスク再生装置及び情報再生装置を提供しようとするものである。
【課題を解決するための手段】
【０００４】
上記目的を達成するため本発明の一実施例においては、音声ファイル、静止画ファイルが記録できる記録媒体に記録された音声ファイルと静止画ファイルとを同時に再生する情報再生装置であって、記録媒体に記録された音声ファイルと静止画ファイルとを再生する再生手段と、記録媒体に記録された音声ファイルを再生しながら、前記再生手段により再生された静止画ファイルをスライドショーで表示する表示手段と、音声ファイルと静止画ファイルとの再生中に、記録媒体に記録された静止画ファイルの再生が終了した場合、記録媒体に記録された音声ファイルの再生が終了するまで、記録媒体に記録された静止画ファイルの再生を繰り返して静止画ファイルのスライドショーを継続する継続手段とを備える。
前記継続手段は、音声ファイルと静止画ファイルとの再生中に、記録媒体に記録された静止画ファイルの再生が終了した場合、記録媒体に記録された静止画ファイルの再生を先頭から再開するようにするとよい。
また、上記目的を達成するため本発明の他の実施例においては、音声ファイル、静止画ファイルが記録できる記録媒体に記録された音声ファイルと静止画ファイルとを同時に再生する情報再生装置であって、記録媒体に記録された音声ファイルと静止画ファイルとを再生する再生手段と、記録媒体に記録された音声ファイルを再生しながら、前記再生手段により再生された静止画ファイルをスライドショーで表示する表示手段と、音声ファイルと静止画ファイルとの再生中に、記録媒体に記録された音声ファイルの再生が終了した場合、記録媒体に記録された静止画ファイルの再生が終了するまで、記録媒体に記録された音声ファイルの再生を繰り返して音声ファイルの再生を継続する継続手段とを備える。
前記継続手段は、音声ファイルと静止画ファイルとの再生中に、記録媒体に記録された音声ファイルの再生が終了した場合、記録媒体に記録された音声ファイルの再生を先頭から再開するようにするとよい。
これらの手段により、ＭＰ３ファイル等の音声ファイルとＪＰＥＧファイル等の静止画ファイルが記録できるＤＶＤ等の記録媒体に記録された音声ファイルと静止画ファイルとの同時再生中に、一方のファイルの再生が終了したとき、他方のファイルの再生が終了するまで、先に再生が終了した方のファイルの再生を繰り返して同時再生を継続することができる。
【発明の効果】
【０００５】
請求項１記載の発明に係るディスク再生装置によれば、光ディスクに記録されたＭＰ３ファイルとＪＰＥＧファイルとを再生して、光ディスクに記録されたＭＰ３ファイルを再生しながら、再生されたＪＰＥＧファイルをスライドショーで表示し、ＭＰ３ファイルとＪＰＥＧファイルとの再生中に、光ディスクに記録されたＪＰＥＧファイルの再生が終了した場合、光ディスクに記録されたＭＰ３ファイルの再生が終了するまで、光ディスクに記録されたＪＰＥＧファイルの再生を先頭から再開して、光ディスクに記録されたＪＰＥＧファイルの再生を繰り返してＪＰＥＧファイルのスライドショーを継続するとともに、光ディスクに記録されたＭＰ３ファイルの再生が終了した場合、光ディスクに記録されたＪＰＥＧファイルの再生が終了するまで、光ディスクに記録されたＭＰ３ファイルの再生を先頭から再開して、ＭＰ３ファイルとＪＰＥＧファイルとを再生するようにしているので、光ディスクに記録されたＭＰ３ファイルとＪＰＥＧファイルとの同時再生中に、一方のファイルの再生が終了したとき、他方のファイルの再生が終了するまで、先に再生が終了した方のファイルの再生を繰り返してＭＰ３ファイルとＪＰＥＧファイルとの同時再生を継続することができる。
請求項２記載の発明に係るディスク再生装置によれば、記録媒体に記録された音声ファイルと静止画ファイルとを再生して、記録媒体に記録された音声ファイルを再生しながら、再生された静止画ファイルをスライドショーで表示し、音声ファイルと静止画ファイルとの再生中に、記録媒体に記録された静止画ファイルの再生が終了した場合、記録媒体に記録された音声ファイルの再生が終了するまで、記録媒体に記録された静止画ファイルの再生を繰り返して静止画ファイルのスライドショーを継続するようにしているので、記録媒体に記録された音声ファイルと静止画ファイルとの同時再生中に、静止画ファイルの再生が終了したとき、音声のファイルの再生が終了するまで、静止画ファイルの再生を繰り返して音声ファイルと静止画ファイルとの同時再生を継続することができる。
請求項３記載の発明に係るディスク再生装置によれば、音声ファイルと静止画ファイルとの再生中に、記録媒体に記録された静止画ファイルの再生が終了した場合、記録媒体に記録された静止画ファイルの再生を先頭から再開するようにしているので、先に再生が終了した静止画ファイルを繰り返して先頭から再生することができる。
請求項４記載の発明に係るディスク再生装置によれば、記録媒体に記録された音声ファイルと静止画ファイルとを再生して、記録媒体に記録された音声ファイルを再生しながら、再生された静止画ファイルをスライドショーで表示し、音声ファイルと静止画ファイルとの再生中に、記録媒体に記録された音声ファイルの再生が終了した場合、記録媒体に記録された静止画ファイルの再生が終了するまで、記録媒体に記録された音声ファイルの再生を繰り返して音声ファイルの再生を継続するようにしているので、記録媒体に記録された音声ファイルと静止画ファイルとの同時再生中に、音声ファイルの再生が終了したとき、静止画ファイルの再生が終了するまで、音声ファイルの再生を繰り返して音声ファイルと静止画ファイルとの同時再生を継続することができる。
請求項５記載の発明に係るディスク再生装置によれば、音声ファイルと静止画ファイルとの再生中に、記録媒体に記録された音声ファイルの再生が終了した場合、記録媒体に記録された音声ファイルの再生を先頭から再開するようにしているので、先に再生が終了した音声ファイルを繰り返して先頭から再生することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置の動作を示すフローチャートであり、図３は本発明の他の実施例のディスク再生装置の動作を示すフローチャートである。
まず、図１の本発明の一実施例のディスク再生装置の構成を示すブロック図を基に説明する。
ディスク再生装置１は、光ディスク２の記録面にレーザ光を照射してその反射光を検出して光ディスク２に記録された情報データを読み出す光ピックアップ３と、光ディスク２を回転させるスピンドルモータ４と、光ピックアップ３を光ディスク２の半径方向に移動させるスレッドモータ５と、スピンドルモータ４を駆動して光ディスク２の回転速度をサーボ制御し、スレッドモータ５の回転方向と回転速度とをサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された情報データのＲＦ（Ｒａｄｉｏ  Ｆｒｅｑｕｅｎｃｙ）信号を増幅するＲＦ増幅回路７と、ＲＦ増幅回路７により増幅された情報データのＲＦ信号を基準クロックに基づいて同期検出してアナログ信号の情報データをデジタル信号に変換し、デジタル信号に変換された情報データを復調して、復調された情報データの誤りを訂正するデジタル信号処理回路８と、情報データのビデオ信号、オーディオ信号の各ビットストリームを分離するストリーム分離部９と、所定の圧縮方式、例えば、ＪＰＥＧ方式で圧縮された情報データのビデオ信号を伸長して、元の情報データのビデオ信号に復号するビデオデコーダ１０と、ビデオデコーダ１０により復号されたデジタル信号のビデオ信号を所定の信号方式に従ったビデオ信号、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のビデオ信号に符号化して、符号化されたデジタル信号のビデオ信号をアナログ信号に変換するエンコーダ／ＤＡ変換回路１１と、所定の圧縮方式、例えば、ＭＰ３方式で圧縮された情報データのオーディオ信号を伸長して、元のデジタル信号のオーディオ信号に復号するオーディオデコーダ１２と、復号されたデジタル信号のオーディオ信号をアナログ信号に変換するＤＡ変換回路１３と、ディスク再生装置１のシステム全体を制御するマイコン１４と、リモコン装置２０から送信された赤外線信号のリモコン信号を受信して、所定の電気信号に変換するリモコン受信部１５とで構成されている。
以上のように構成されたディスク再生装置について、以下その動作について説明する。
リモコン装置の操作キーの操作により光ディスク２に記録されたＭＰ３ファイル（音声ファイル）とＪＰＥＧファイル（静止画ファイル）との再生が指令されると、マイコン１４は、サーボ回路６に制御信号を送出して、スピンドルモータ４を駆動して光ディスク２を回転させ、スレッドモータ５を駆動して光ピックアップ３を移動させ、光ピックアップ３により光ディスクに記録されたＭＰ３ファイルとＪＰＥＧファイルとを読み出して、ＭＰ３ファイルとＪＰＥＧファイルとの再生を開始し、光ディスク２に記録されたＭＰ３ファイルを再生しながら、光ディスク２に記録されたＪＰＥＧファイルを再生して、再生されたＪＰＥＧファイルをスライドショーで表示する。
そして、ＭＰ３ファイルとＪＰＥＧファイルとの再生中に、光ディスク２に記録されたＪＰＥＧファイルの再生が先に終了した場合、リモコン装置の操作キーの操作により光ディスク２に記録されたＪＰＥＧファイルの再生の再開が指令されると、マイコン１４は、光ディスク２に記録されたＪＰＥＧファイルの再生を先頭から再開して、光ディスク２に記録されたＭＰ３ファイルの再生が終了するまで、光ディスク２に記録されたＪＰＥＧファイルの再生を繰り返して、ＪＰＥＧファイルのスライドショーを継続する。なお、光ディスク２に記録されたＪＰＥＧファイルの再生が終了したとき、ＪＰＥＧファイルの再生の再開が指令されない場合、光ディスク２に記録されたＭＰ３ファイルのみの再生を続行するようになっている。
また、ＭＰ３ファイルとＪＰＥＧファイルとの再生中に、光ディスク２に記録されたＭＰ３ファイルの再生が先に終了した場合、リモコン装置の操作キーの操作により光ディスク２に記録されたＭＰ３ファイルの再生の再開が指令されると、マイコン１４は、光ディスク２に記録されたＭＰ３ファイルの再生を先頭から再開して、光ディスク２に記録されたＪＰＥＧファイルの再生が終了するまで、光ディスク２に記録されたＭＰ３ファイルの再生を繰り返して、光ディスク２に記録されたＭＰ３ファイルの再生を継続する。なお、光ディスク２に記録されたＭＰ３ファイルの再生が終了したとき、ＭＰ３ファイルの再生の再開が指令されない場合、光ディスク２に記録されたＪＰＥＧファイルのみの再生を続行して、ＪＰＥＧファイルのスライドショーのみを継続するようになっている。
また、図２の本発明の一実施例のディスク再生装置の動作を示すフローチャートを基に説明する。
リモコン装置の操作キーの操作により光ディスクに記録されたＭＰ３ファイルとＪＰＥＧファイルとの再生が指令されると、ステップＳ１からステップＳ２に進み、ステップＳ２で、光ディスクに記録されたＭＰ３ファイルとＪＰＥＧファイルとの再生が開始され、ステップＳ３に進む。
ステップＳ３で、光ディスクに記録されたＭＰ３ファイルを再生しながら、光ディスクに記録されたＪＰＥＧファイルを再生してスライドショーで表示し、ステップＳ４に進む。
ステップＳ４で、光ディスクに記録されたＪＰＥＧファイルの再生が終了したか否かが判断され、光ディスクに記録されたＪＰＥＧファイルの再生が終了した場合、ステップＳ５に進み、光ディスクに記録されたＪＰＥＧファイルの再生が終了していない場合、ステップＳ３に戻って、ステップＳ３からのステップを繰り返す。
ステップＳ５で、光ディスクに記録されたＪＰＥＧファイルの再生の再開が指令されたか否かが判断され、光ディスクに記録されたＪＰＥＧファイルの再生の再開が指令された場合、ステップＳ６に進み、光ディスクに記録されたＪＰＥＧファイルの再生の再開が指令されない場合、ステップＳ９に進む。
ステップＳ６で、光ディスクに記録されたＪＰＥＧファイルの再生が先頭から再開され、ステップＳ７に進む。
ステップＳ７で、光ディスクに記録されたＭＰ３ファイルの再生が終了したか否かが判断され、光ディスクに記録されたＭＰ３ファイルの再生が終了した場合、ステップＳ８に進み、光ディスクに記録されたＭＰ３ファイルの再生が終了していない場合、ステップＳ３に戻って、ステップＳ３からのステップを繰り返す。
ステップＳ８で、光ディスクに記録されたＪＰＥＧファイルの再生を終了して、ステップＳ１２に進む。
ステップＳ９で、光ディスクに記録されたＪＰＥＧファイルの再生を停止して、ステップＳ１０に進む。
ステップＳ１０で、光ディスクに記録されたＭＰ３ファイルの再生が続行され、ステップＳ１１に進む。
ステップＳ１１で、光ディスクに記録されたＭＰ３ファイルの再生が終了したか否かが判断され、光ディスクに記録されたＭＰ３ファイルの再生が終了した場合、ステップＳ１２に進み、光ディスクに記録されたＭＰ３ファイルの再生が終了していない場合、ステップＳ１０に戻って、ステップＳ１０からのステップを繰り返す。
ステップＳ１２で、光ディスクに記録されたＭＰ３ファイルの再生を終了して、ステップＳ１３に進んで処理を終了する。
また、図３の本発明の他の実施例のディスク再生装置の動作を示すフローチャートを基に説明する。
リモコン装置の操作キーの操作により光ディスクに記録されたＪＰＥＧファイルとＭＰ３ファイルとの再生が指令されると、ステップＳ２１からステップＳ２２に進み、ステップＳ２２で、光ディスクに記録されたＪＰＥＧファイルとＭＰ３ファイルとの再生が開始され、ステップＳ２３に進む。
ステップＳ２３で、光ディスクに記録されたＪＰＥＧファイルを再生してスライドショーで表示しながら、光ディスクに記録されたＭＰ３ファイルを再生して、ステップＳ２４に進む。
ステップＳ２４で、光ディスクに記録されたＭＰ３ファイルの再生が終了したか否かが判断され、光ディスクに記録されたＭＰ３ファイルの再生が終了した場合、ステップＳ２５に進み、光ディスクに記録されたＭＰ３ファイルの再生が終了していない場合、ステップＳ２３に戻って、ステップＳ２３からのステップを繰り返す。
ステップＳ２５で、光ディスクに記録されたＭＰ３ファイルの再生の再開が指令されたか否かが判断され、光ディスクに記録されたＭＰ３ファイルの再生の再開が指令された場合、ステップＳ２６に進み、光ディスクに記録されたＭＰ３ファイルの再生の再開が指令されない場合、ステップＳ２９に進む。
ステップＳ２６で、光ディスクに記録されたＭＰ３ファイルの再生が先頭から再開され、ステップＳ２７に進む。
ステップＳ２７で、光ディスクに記録されたＪＰＥＧファイルの再生が終了したか否かが判断され、光ディスクに記録されたＪＰＥＧファイルの再生が終了した場合、ステップＳ２８に進み、光ディスクに記録されたＪＰＥＧファイルの再生が終了していない場合、ステップＳ２３に戻って、ステップＳ２３からのステップを繰り返す。
ステップＳ２８で、光ディスクに記録されたＭＰ３ファイルの再生を終了して、ステップＳ３２に進む。
ステップＳ２９で、光ディスクに記録されたＭＰ３ファイルの再生を停止して、ステップＳ３０に進む。
ステップＳ３０で、光ディスクに記録されたＪＰＥＧファイルのスライドショーが続行され、ステップＳ３１に進む。
ステップＳ３１で、光ディスクに記録されたＪＰＥＧファイルの再生が終了したか否かが判断され、光ディスクに記録されたＪＰＥＧファイルの再生が終了した場合、ステップＳ３２に進み、光ディスクに記録されたＪＰＥＧファイルの再生が終了していない場合、ステップＳ３０に戻って、ステップＳ３０からのステップを繰り返す。
ステップＳ３２で、光ディスクに記録されたＪＰＥＧファイルの再生を終了して、ステップＳ３３に進んで処理を終了する。
以上、本発明を実施するための最良の形態について詳述したが、本発明はこれに限定されるものではなく、当業者の通常の知識の範囲内でその変形や改良が可能である。例えば、光ディスクに記録されたＭＰ３ファイルとＪＰＥＧファイルとを再生するディスク装置について説明したが、本発明は、光ディスクに限定されるものではなく、ＭＰ３ファイル等の音声ファイル、ＪＰＥＧファイル等の静止画ファイルが記録できる記録媒体に記録された音声ファイルと静止画ファイルとを再生する情報再生装置であってもよい。
【図面の簡単な説明】
【０００７】
【図１】本発明の一実施例のディスク再生装置の構成を示すブロック図である。
【図２】本発明の一実施例のディスク再生装置の動作を示すフローチャートである。
【図３】本発明の他の実施例のディスク再生装置の動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  デジタル信号処理回路
９  ストリーム分離部
１０  ビデオデコーダ
１１  エンコーダ／ＤＡ変換回路
１２  オーディオデコーダ
１３  ＤＡ変換回路
１５  増幅出力回路
１４  マイコン
１５  リモコン受信部
２０  リモコン装置
【図１】
2006179069.tif 000003
【図２】
2006179069.tif 000004
【図３】
2006179069.tif 000005